【手続補正書】
【提出日】平成23年8月25日(2011.8.25)
【手続補正１】
【補正対象書類名】特許請求の範囲
【補正対象項目名】全文
【補正方法】変更
【補正の内容】
【特許請求の範囲】
【請求項１】
異なる色もしくは波長の光を放射する複数のＬＥＤと、1つの色グループ内で同一の色もしくは波長の光を放射するＬＥＤ色グループとのいずれか一方を有するＬＥＤ照明装置の色特性または測光特性を温度に依存して調整する方法であって、前記複数のＬＥＤまたはＬＥＤ色グループの光束部分が、前記ＬＥＤ照明装置によって放射された混光の色、色温度および／または色度座標を決定するものであり、
前記ＬＥＤ照明装置の初期温度における前記種々の有色ＬＥＤの光束部分を調整することによって、前記混光を指定された光の色に基準設定する工程と、
前記基準設定における前記種々の有色ＬＥＤの波長に依存する初期放射スペクトルＥＡ（λ）を判定する工程と、
前記ＬＥＤ照明装置における温度および／または前記ＬＥＤ照明装置内の温度の実際値を測定する工程と、
測定温度における種々の有色ＬＥＤの放射スペクトルＥ（λ）を、前記種々の有色ＬＥＤのそれぞれについて記憶された校正データから決定または同時決定する少なくとも１つの温度依存値を判定する工程であって、前記放射スペクトルは前記種々の有色ＬＥＤの波長に依存している、工程と、
前記初期温度とは異なる前記ＬＥＤ照明装置の測定温度であって、この測定温度における前記種々の有色ＬＥＤの波長に依存する放射スペクトルＥ（λ）を判定する工程と、
前記判定された少なくとも1つの温度依存値に応じて、指定された光の色、色温度および／または色度座標を有する混光について、測定温度における前記種々の有色ＬＥＤの光束部分を判定する工程と、
前記ＬＥＤ照明装置における前記種々の有色ＬＥＤの前記判定された光束部分を調整する工程とを備えた、温度依存調整方法。
【請求項２】
請求項１において、
前記少なくとも1つの温度依存値は、前記ＬＥＤ放射スペクトルのピーク波長（λｐ）および／または前記ＬＥＤ放射スペクトルの半値幅（ｗ５０）および／または明度（Ｙ）からなり、
前記ＬＥＤ放射スペクトルのピーク波長（λｐ）および／または前記ＬＥＤ放射スペクトルの半値幅（ｗ５０）および／または前記明度（Ｙ）の校正データが、温度（Ｔ）の関数として前記種々の有色ＬＥＤのそれぞれについて判定され、関数または表として記憶されている、温度依存調整方法。
【請求項３】
請求項１または２において、前記測定温度についての前記種々の有色ＬＥＤの前記放射スペクトルは、ガウス分布によって近似され、このガウス分布による近似は、
前記種々の有色ＬＥＤのそれぞれについて、温度に線形または二次的に依存しているパラメータλｐ，Ｗ５０，ｆＬ，εであって、
λｐは前記ＬＥＤ放射スペクトルの前記ピーク波長であり、
Ｗ５０は前記ＬＥＤ放射スペクトルの前記半値幅であり、
ｆＬは温度依存の変換係数であり、
εは２．０＜ε＜２．８で、ガウスベル形状曲線の半値幅と側面形状に影響を与える係数である、パラメータを判定することによって、ガウスベル形状曲線、
【数６】
2010538434.tif 000001
によりシミュレートするか、または、前記種々の有色ＬＥＤのそれぞれについて、温度に線形または二次的に依存しているパラメータλｐ，ｗ５０，ｆＬであって、
λｐは前記ＬＥＤ放射スペクトルの前記ピーク波長であり、
ｗ５０は前記ＬＥＤ放射スペクトルの前記半値幅であり、
ｆＬは温度依存の変換係数である、パラメータを判定することによって、式
【数７】
2010538434.tif 000002
に従ってシミュレートすることで、行われる、温度依存調整方法。
【請求項４】
請求項１または２において、前記種々の有色ＬＥＤの波長に依存する前記放射スペクトルＥ（λ）は、式
【数８】
2010538434.tif 000003
に従って、初期の放射スペクトルＥＡの温度依存の正規化およびシフトによって、初期温度とは異なる前記ＬＥＤ照明装置の測定温度において、近似され、
ここで、
ｆＬ（Ｔ）は、温度範囲全体にわたる明度の相対的な変化を表す温度依存の変換係数（初期スペクトルの明度に対するスペクトルの明度）を示し、
Δλｐ（Ｔ）は、前記初期スペクトルに対するピーク波長の温度依存のシフトを示す、
温度依存調整方法。
【請求項５】
請求項１から４のいずれか一項において、前記測定温度についての前記種々の有色ＬＥＤの前記放射スペクトルは、測定によって判定される、温度依存調整方法。
【請求項６】
請求項１から５のいずれか一項において、前記種々の有色ＬＥＤの光束部分は、プログラム制御式装置によって判定されるか、または、前記光束に対応するパルス幅変調信号が前記プログラム制御式装置から提供され、このプログラム制御式装置には、使用されているＬＥＤの色の測定された放射スペクトルまたは近似された放射スペクトルが取り込まれ、複数の最適化パラメータが入力され、このプログラム制御式装置から、前記プログラム制御式装置によって事前に実行されている異なるターゲットパラメータに対して最適化された前記種々の有色ＬＥＤの光束部分、および／または前記光束部分に対応するパルス幅変調信号が提供される、温度依存調整方法。
【請求項７】
請求項６において、前記最適化パラメータは、
前記種々の有色ＬＥＤによって生成される混光の所望の光温度と、光混合機能と、優れた光混合機能が達成される基準輝度とを設定するか、または、
優れた光混合機能が達成される前記記録媒体を入力することによって生成され、
前記光束部分を最適化するターゲットパラメータは、以下のパラメータ、
色温度
プランク軌跡からの距離
演色指数
フィルムまたはデジタルカメラでの光混合機能
のうちの１つ以上からなる、温度依存調整方法。
【請求項８】
請求項１から７のいずれか一項において、
前記ＬＥＤおよび／または前記ＬＥＤ照明装置の温度に依存して、前記ＬＥＤ照明装置の色特性または測光特性を補正するために、
各色グループのＬＥＤにおける温度値、または全てのＬＥＤの色を表現している、照明モジュールの温度値が測定され、
温度への線形または二次的な依存性によって、パラメータｆＬおよびλｐが各色グループについて判定され、
新しい温度依存の放射スペクトルＥＴ（λ）が、
前記温度依存のパラメータによって、ガウス分布または複数のガウス分布の重ね合わせによって計算されるか、または
記憶された初期スペクトルをシフトおよび正規化することによって計算され、
白色ＬＥＤの前記放射スペクトルは、４つ以上のガウス分布によって近似され、かつ、前記有色ＬＥＤの前記放射スペクトルは、５〜９個のガウス分布によって近似される、温度依存調整方法。
【請求項９】
請求項１から８のいずれか一項において、
明度測定が実行され、測定された明度の実際値と明度の設定値との間の差が、前記ＬＥＤ照明装置の色特性または測光特性の補正後に判定され、
前記ＬＥＤ照明装置から放射された光強度が、前記種々の有色ＬＥＤに供給される電力を、この判定に応じて増加または減少させることによって明度の設定値に調整され、
前記温度依存の放射スペクトルＥＴ（λ）は前記プログラム制御式処理ユニットに取り込まれ、前記光束部分に対応するパルス幅変調信号は、前記混光について計算され、
前記種々の有色ＬＥＤについての前記パルス幅変調信号は、前記ＬＥＤ照明装置で調整され、
任意で、明度測定がなされ、前記ＬＥＤ照明装置から放射された光強度を、前記明度設定値に一致させることは、前記種々の有色ＬＥＤに供給される電力を、前記明度測定に応じて増加または減少させることによってなされる、温度依存調整方法。
【請求項１０】
異なる色もしくは波長の光を放射する複数のＬＥＤを有するＬＥＤ照明装置の色特性または測光特性を温度に依存して調整する方法であって、前記ＬＥＤ照明装置の光束部分は、前記ＬＥＤ照明装置によって放射された混光の色、色温度および／または色度座標を決定し、前記光束部分は前記種々の有色ＬＥＤを制御することによって調整され、前記種々の有色ＬＥＤは、有色および白色のＬＥＤからなり、それぞれパルス幅変調制御信号によって同一の色を有するＬＥＤ色グループにグループ化されるものであり、
温度を測定する工程と、
初期温度における前記混光の前記ＬＥＤ色グループの光束部分に対応するパルス幅変調制御信号を調整することによって、指定された光の色、色温度および／または色度座標に前記混光を基準設定する工程と、
指定された光の色、色温度および／または色度座標に調整された前記混光の前記ＬＥＤ色グループの光束部分に対応する前記パルス幅変調制御信号を修正する工程であって、前記修正は前記測定温度に依存している、工程とを備えた、温度依存調整方法。
【請求項１１】
請求項１０において、前記パルス幅変調制御信号の温度依存性は、関連の温度範囲全体にわたって線形または二次的に変化する前記ＬＥＤ色グループの明度から判定され、
前記基準設定に対する前記ＬＥＤ色グループの前記相対的な明度修正の逆数に相当する係数（ｆＰＷＭ）が判定され、
各ＬＥＤ色グループに対する前記パルス幅変調制御信号（ＰＷＭＡ）の前記基準設定に関係する値を、前記測定温度（Ｔ）に依存する係数（ｆＰＷＭ）で乗算することによって、式、
ＰＷＭ（Ｔ）＝ＰＷＭＡ×ｆＰＷＭ（Ｔ）
に従って、測定温度に対応する各ＬＥＤ色グループの前記パルス幅変調制御信号（ＰＷＭ（Ｔ））の値を得、
各ＬＥＤ色グループの前記パルス幅変調信号（ＰＷＭ（Ｔ））は、前記ＬＥＤ照明装置において調整され、
明度測定が実行され、前記測定された明度の実際値と明度の設定値との差が判定され、
前記ＬＥＤ照明装置から放射された光強度が、前記ＬＥＤ色グループに供給される電力を、前記判定に応じて増加または減少させることによって、前記明度設定値に合致させる、温度依存調整方法。
【請求項１２】
請求項１から１１のいずれか一項において、前記ＬＥＤ照明装置に追加的に取り付けられた色センサまたはスペクトロメータの出力信号は、前記ＬＥＤ色グループの前記相対明度の判定において考慮され、
前記色センサまたは前記スペクトロメータの前記出力信号は、前記光束部分または前記混光の光束部分に対応した前記ＬＥＤ色グループの前記パルス幅変調制御信号を判定する前記プログラム制御式処理ユニットに提供される、温度依存調整方法。
【請求項１３】
請求項１から１２のいずれか一項において、
ａ．前記ＬＥＤ照明装置を起動する工程と、
ｂ．前記ＬＥＤ照明装置の起動直後に、各単色のＬＥＤ色グループを順次それぞれ作動させることによって、前記ＬＥＤ色グループの明度（Ｙ０）を明度センサで測定するか、または、
前記ＬＥＤ色グループの前記明度（Ｙｔ）および前記色を、単色のＬＥＤ色グループをそれぞれ順次個々に作動することによって、前記ＬＥＤ照明装置の起動直後に、ＲＧＢセンサもしくは色センサまたはスペクトロメータによって測定し、さらに、前記ピーク波長（λｐ）および半値幅（ｗ５０）の変化を検出する、工程と、
ｃ．前記ＬＥＤ照明装置の起動直後に、前記ＬＥＤ照明装置のハウジング内および／または前記種々の有色ＬＥＤ色グループの少なくとも１つのＬＥＤの領域内で初期温度（Ｔｕ）を測定する工程と、
ｄ．前記校正データ内の各ＬＥＤ色グループについて記憶された前記特性線Ｙ０＝ｆ（Ｔｕ）から、前記初期温度（Ｔｕ）についての温度依存係数を判定する工程と、
ｅ．ｆｋ＝Ｙｔ（Ｔ）／Ｙ０（Ｔ）の式に従って、前記校正データ内に記憶された前記特性線Ｙ０＝ｆ（Ｔｕ）と、各ＬＥＤ色グループの測定された実際の明度（Ｙｔ）との比から、エージング依存および色依存の温度係数（ｆｋ）を計算する工程と、
ｆ．前記ＬＥＤ照明装置の前記ハウジング内および／または前記種々の有色ＬＥＤ色調グループの少なくとも１つのＬＥＤの領域内で実際の温度（Ｔ）を測定する工程と、
ｇ．校正データ内の各ＬＥＤ色グループについて記憶された特性線λｐ＝ｆ（Ｔ）、ｗ５０＝ｆ（Ｔ）およびＹ０＝ｆ（Ｔ）から、各ＬＥＤ色グループについて温度依存のピーク波長（λｐ）、半値幅（ｗ５０）および／または明度（Ｙ）を判定する工程と、
ｈ．ガウス分布によって、前記測定された実際の温度（Ｔ）について、前記種々の有色ＬＥＤ色グループの放射スペクトルを近似する工程と、
ｉ．前記ガウス分布によって近似された前記種々の有色ＬＥＤの放射スペクトルに、前記エージング依存および色依存の温度係数（ｆｋ）を乗算する工程と、
ｋ．前記実際の温度（Ｔ）に応じて、前記種々の有色ＬＥＤ色グループの放射スペクトルの前記近似から、各ＬＥＤ色グループについて、光束部分およびパルス幅変調制御信号を計算する工程と、
ｌ．前記新しいパルス幅変調制御信号によって、各ＬＥＤ色グループの前記ＬＥＤを制御する工程と、
ｍ．前記工程ｆに戻る工程とを備えた、温度依存調整方法。
【請求項１４】
請求項１３において、
前記工程ｇの後かつ前記工程ｈの前に、
ｇ１．全てのＬＥＤ色グループの全体明度Ｙｉｓｔを測定する工程と、
ｇ２．指定された設定値ＹＳｏｌｌと、全てのＬＥＤ色グループの測定された全体明度Ｙｉｓｔとの比から、各ＬＥＤ色グループについて補正係数ｆＹ＝ＹＳｏｌｌ／Ｙｉｓｔを計算する工程と、
ｇ３．各ＬＥＤ色グループについて前記工程ｄで計算された前記パルス幅変調制御信号と前記補正係数ｆＹとの前記積から、各ＬＥＤ色グループに対応する各ＬＥＤ色グループの前記ＬＥＤについて、新しいパルス幅変調制御信号を計算する工程と、
ｇ４．各ＬＥＤ色グループに対する前記新しいパルス幅変調制御信号に対応するパルス幅変調電流インパルスによって、各ＬＥＤ色グループの前記ＬＥＤを制御する工程とによって、明度バランスが調整され、
前記工程ｌの後に、
ｌ１．全てのＬＥＤ色グループの全体明度Ｙｉｓｔを測定する工程と、
ｌ２．全てのＬＥＤ色グループの測定された前記全体明度Ｙｉｓｔと、前記明度の指定された設定値ＹＳｏｌｌとの比から、各ＬＥＤ色グループについて補正係数ｆＹ＝ＹＳｏｌｌ／Ｙｉｓｔを計算する工程と、
ｌ３．各ＬＥＤ色グループについて前記工程ｋで計算されたパルス幅変調制御信号と、前記補正係数ｆＹとの積から、各ＬＥＤ色グループに対応する各ＬＥＤ色グループのＬＥＤについて、新しいパルス幅変調制御信号を計算する工程と、
ｌ４．各ＬＥＤ色グループについて、前記対応するパルス幅変調電流インパルスによって各ＬＥＤ色グループの前記ＬＥＤを制御する工程とによって、明度バランスが調整される、温度依存調整方法。
【請求項１５】
請求項１から１２のいずれか一項において、
ａ．前記ＬＥＤ照明装置を起動する工程と、
ｂ．前記ＬＥＤ照明装置のハウジング内および／または前記種々の有色ＬＥＤ色グループの少なくとも１つのＬＥＤの領域内で温度（Ｔ）を測定する工程と、
ｃ．校正データ内の各ＬＥＤ色グループについて記憶された特性線から各ＬＥＤ色グループについての温度依存係数ｆＹ＝ｆＰＷＭを、ｆＹ＝ｆＰＷＭ＝Ｙ０（Ｔ０）／Ｙ０（Ｔ）（ここで、Ｙ０＝ｆ（Ｔ））の式から判定する工程と、
ｄ．各ＬＥＤ色グループのＬＥＤを制御するように、基準温度（Ｔ０）について指定された、各ＬＥＤ色グループのＬＥＤを制御するためのパルス幅変調制御信号ＰＷＭ（Ａ）に、各ＬＥＤ色グループについて判定された温度依存係数ｆＹ＝ｆＰＷＭを乗算することにより、ＰＷＭ（Ｔ）＝ＰＷＭ（Ａ）×ｆＰＷＭの式から新しいパルス幅変調制御信号ＰＷＭ（Ｔ）を計算する工程と、
ｅ．各ＬＥＤ色グループについて、前記新しいパルス幅変調制御信号ＰＷＭ（Ｔ）によって前記種々の有色ＬＥＤ色グループの前記ＬＥＤを制御する工程と、
ｆ．前記工程ｂに戻る工程とを備え、
基準温度に対して指定された前記ＰＷＭ信号のＰＷＭ（Ａ）が、校正データとして、指定された温度範囲の温度（Ｔ）に依存して、指定された色温度（ＣＣＴ）または色度座標（ｘ，ｙ）、および前記明度（Ｙ０）での光混合比について、各ＬＥＤ色グループに対する前記パルス幅変調制御信号について判定され、前記ＰＷＭ（Ａ）は、さらに、各ＬＥＤ色グループについて、関数または表としてＹ０＝ｆ（Ｔ）および（ｆＰＷＭ）ＰＷＭ（Ａ）＝ｆ（ＣＣＴ）またはＰＷＭ（Ａ）＝ｆ（ｘ，ｙ）が記憶される、温度依存調整方法。
【請求項１６】
請求項１から１５のいずれか一項において、
ａ．前記ピーク波長（λｐ）、半値幅（ｗ５０）および明度（Ｙ０）は、指定された温度範囲の温度（Ｔ）に依存して、各ＬＥＤ色グループについて測定され、関数または表として、各ＬＥＤ色グループについてλｐ＝ｆ（Ｔ）、ｗ５０＝ｆ（Ｔ）およびＹ０＝ｆ（Ｔ）が判定され、
ｂ．前記種々の有色ＬＥＤ色グループの放射スペクトルが、前記測定温度に対するガウス分布によって近似され、
ｃ．各ＬＥＤ色グループに対する前記パルス幅変調制御信号の温度に依存して最適化されたＰＷＭ制御信号ＰＷＭ（Ｔ）が、色温度または色度座標について指定された設定で、光混合比について計算され、
ｄ．各ＬＥＤ色グループに対する前記パルス幅変調制御信号の前記温度に依存して最適化されたＰＷＭ制御信号ＰＷＭ（Ｔ）が、色温度または色度座標について、指定された設定で、光混合比について記憶される、温度依存調整方法。
【請求項１７】
請求項１から１２のいずれか一項において、
ａ．前記ＬＥＤ色グループの前記温度依存性スペクトルが測定され、
ｂ．各ＬＥＤ色グループに対する前記パルス幅変調制御信号について温度に依存して最適化されたＰＷＭ制御信号ＰＷＭ（Ｔ）が、色温度または色度座標について、指定された設定で、光混合比について計算され、
ｃ．各ＬＥＤ色調グループに対する前記パルス幅変調制御信号について前記温度依存的に最適化されたＰＷＭ制御信号ＰＷＭ（Ｔ）が、色温度または色度座標について特定された設定で、光混合比について記憶される、温度依存調整方法。
【請求項１８】
請求項１６または１７において、
ａ．前記ＬＥＤ照明装置を起動する工程と、
ｂ．前記ＬＥＤ照明装置のハウジング内および／または前記種々の有色ＬＥＤ色グループの少なくとも１つのＬＥＤの領域内で温度（Ｔ）を測定する工程と、
ｃ．色温度または色度座標について、指定された設定で、光混合比について、記憶された前記温度に依存して最適化されたＰＷＭ制御信号から、各ＬＥＤ色グループに対する実際の温度依存のＰＷＭ制御信号ＰＷＭ（Ｔ）を判定する工程と、
ｄ．前記温度依存のＰＷＭ制御信号ＰＷＭ（Ｔ）によって、前記種々の有色ＬＥＤ色グループの前記ＬＥＤを制御する工程と、
ｅ．前記工程ｂに戻る工程とを備えた、温度依存調整方法。
【請求項１９】
異なる色または波長の光を放射するＬＥＤを有するＬＥＤ照明装置の色特性または測光特性を温度に依存して調整する方法であって、前記ＬＥＤ照明装置の光束部分は、前記ＬＥＤ照明装置によって放射された混光の色、色温度および／または色度座標を決定し、前記光束部分は前記種々の有色ＬＥＤを制御することによって調整され、前記種々の有色ＬＥＤは、有色および白色のＬＥＤからなり、それぞれパルス幅変調制御信号によって同一の色を有するＬＥＤ色グループにグループ化されるものであり、
基板上に配置された前記ＬＥＤの基板温度（Ｔｂ）、および／または、各ＬＥＤ色もしくはＬＥＤ色グループの少なくとも１つのＬＥＤの接合部温度に応じて、前記明度（Ｙ）を表す前記ＬＥＤ照明装置の温度特性線（Ｙ＝ｆ（Ｔｂ））によって、安定状態における指定された電流において、前記ＬＥＤ照明装置の色を制御し、かつ、
前記安定状態における指定された電流において、各ＬＥＤ色について、前記基板温度（Ｔｂ）に依存する前記明度（Ｙ）の関数（Ｙ＝ｆ（Ｔｂ））を決定する工程と、
前記特性線を（Ｙ（Ｔｂ１）＝１）に正規化する工程であって、前記Ｔｂ１は、作用点に近い、任意に選択された温度値である、工程と、
Ｙ（Ｔｂ）＝ａ＋ｂ×Ｔｂ
の式の線形関数、
Ｙ（Ｔｂ）＝ａ＋ｂ×Ｔｂ＋ｃ×Ｔｂ２
の式の二次多項式、または
Ｙ（Ｔｂ）＝ａ＋ｂ×Ｔｂ＋ｃ×Ｔｂ２＋ｄ×Ｔｂ３
の式の三次多項式についてのパラメータである、各パラメータ（ａ，ｂ，ｃ，ｄ）
を決定する工程と、
前記ＬＥＤ照明装置または外部制御装置において、前記パラメータ（ａ，ｂ，ｃ，ｄ）を前記ＬＥＤ照明装置の照明モジュール内に記憶する工程とによって、前記ＬＥＤ照明装置の温度特性線を決定する、温度依存調整方法。
【請求項２０】
請求項１９において、
前記スペクトルおよびこのスペクトルから得られる明度（Ｙ）ならびに前記ＬＥＤ照明装置の各ＬＥＤ色の標準的な色部分（ｘ，ｙ）を測定する工程と、
前記特性線（Ｙ＝ｆ（Ｔｂ））によって前記スポットライトの明度を基板温度（Ｔｂ１）に変換し、前記スペクトルを（Ｙ＝Ｙ（Ｔｂ１））に倍率変更する工程と、
前記プログラム制御式処理ユニットを用いて、Ｎ個の色温度補間点について測定されたスペクトルから前記ＬＥＤ色の最適な光束部分を計算する工程と、
前記ターゲット色度座標（ｘ，ｙ）に応じて、前記ＬＥＤ色の光束部分を表形式で記憶する工程とによって、ＬＥＤ照明装置の色を校正する、温度依存調整方法。
【請求項２１】
請求項１９または２０において、
前記所望の色度座標（ｘ，ｙ）と前記所望の明度（Ｙ）を得るために、前記ＬＥＤ色に対する前記ＰＷＭ制御信号（ＰＷＭＡ）を判定する工程、
前記基板温度（Ｔｂ）を測定する工程、
前記メモリに記憶された前記近似特性線（ｆＰＷＭ＝１／Ｙ）について、各ＬＥＤ色に対する前記温度依存のＰＷＭ補正係数を決定する工程、
前記ＬＥＤ照明装置の全電力または前記ＬＥＤ照明装置の単色ＬＥＤに供給される電流強度を取り込む工程、
指定された最大値（Ｐｍａｘ，Ｉｍａｘ）よりも小さい、前記ＬＥＤ照明装置の全電力または前記ＬＥＤ照明装置のＬＥＤに供給される電流強度において、前記ＰＷＭ補正係数によって、前記ＬＥＤ照明装置の前記ＬＥＤを制御する工程、または
ｋCutoff＝Ｐｍａｘ／ＰｎｅｕもしくはｋCutoff＝Ｉｍａｘ／Ｉｎｅｕ
の式から、全てのＬＥＤの電流または電力を制限する遮断係数（ｋCutoff）を決定し、ＰＷＭＴ＝ＰＷＭＡ×ｆＰＷＭ×ｋCutoffに従って、新しいＰＷＭ係数を用いて前記ＬＥＤ照明装置の前記ＬＥＤを制御する工程によって、Ｎ個の色温度補間点についての前記記憶された校正データ、および／または前記ＬＥＤ色の光束部分についての色度座標の表として、各色調の前記温度特性線および各ＬＥＤ色の前記明度（Ｙ）および前記色度座標（ｘ，ｙ）を考慮して、前記ＬＥＤ照明装置の前記照明モジュールの色を制御する、温度依存調整方法。